(57)【特許請求の範囲】
【請求項１】
クライアント機器が接続するサーバであって、
前記クライアント機器が災害発生時に実行する所定の動作を示す災害動作情報を保持する外部サーバに関する情報を受信する外部サーバ情報受信部と、
前記外部サーバ情報受信部にて受信した外部サーバに関する情報に基づいて、該外部サーバに対して災害動作情報の送信を要求する災害動作情報要求送信部と、
前記災害動作情報要求送信部からの要求に応じて、前記外部サーバから送信される前記災害動作情報を受信する災害動作情報受信部と、
前記災害動作情報受信部が受信した災害動作情報を記憶する災害動作情報記憶部と、
災害発生または災害の発生予測を通知する災害報知情報を受信する災害報知情報受信部と、
前記災害報知情報受信部が前記災害報知情報を受信した際に、前記災害動作情報記憶部が保持している前記災害動作情報に基づいて、前記クライアント機器に動作指示を送信する動作指示文書送信部と
を備えることを特徴とするサーバ。
【発明の詳細な説明】
【技術分野】
【０００１】
本発明は、地震などの災害の発生が予測される際に住宅等内に設置されている機器を制御するサーバおよびクライアント機器に関する。
【背景技術】
【０００２】
近年、住宅などに設置されたホームネットワークに、住宅内部に設置された照明装置や空調装置、その他家電製品を接続し、それらを遠隔制御することが可能となっている。
【０００３】
一方、地震などの災害の発生、あるいは発生する危険性のあることを示す災害報知情報が、災害報知機関によって発せられた際、例えば、放送網を通して災害報知情報を受信し、ガスなどの供給を遮断することによって、火災などの二次災害の発生を抑制する方法が知られている。
【０００４】
災害が発生した際には、被害を最小限に抑え、また、二次災害を未然に防ぐことが期待される。しかし、災害を未然に知ることは容易ではない。知り得たとしても、災害発生の直前であることが多く、例えば、ガスを止め、暖房装置の運転を停止するなどの対策を行えない場合が少なくない。そして、これらの対応がなされなかったことが原因で火事等の二次災害が発生し、被害が拡大することがある。
【０００５】
このような場合に、災害報知情報を受信した時に、自動的にこれらの機器を動作させることにより、被害を抑えることが可能になると考えられる。災害が発生した際、住宅に設置されている機器が実行すべき動作は、機器の種類などに応じて異なる。例えば、ガスを用いた燃焼装置などは、運転を停止するが、この他、夜間の場合は照明を点灯させ、避難の必要がある場合は、電子錠は開錠する。また、表示装置には、警告を表示させ、音響装置には音声(警告音)を鳴らして、利用者に災害の発生を通知する。このように、災害時に行うべき動作は、機器や、災害が発生した時間などによっても異なる。このような設定は利用者にとって煩雑な作業である。
【特許文献１】特開２００４−１８００４８号公報
【発明の開示】
【発明が解決しようとする課題】
【０００６】
そこで、本発明は、このような状況に鑑みてなされたものであり、利用者を煩わせることなく、災害報知情報を受信した際、機器それぞれに最適な動作を実行させることができる災害時動作制御システム、ホームサーバ及び宅内機器を提供することを課題とする。
【課題を解決するための手段】
【０００７】
上記課題に鑑み本発明は、以下の特徴を有する。
【０００８】
請求項１の発明は、クライアント機器が接続するサーバであって、前記クライアント機器が災害発生時に実行する所定の動作を示す災害動作情報を保持する外部サーバに関する情報を受信する外部サーバ情報受信部と、前記外部サーバ情報受信部にて受信した外部サーバに関する情報に基づいて、該外部サーバに対して災害動作情報の送信を要求する災害動作情報要求送信部と、前記災害動作情報要求送信部からの要求に応じて、前記外部サーバから送信される前記災害動作情報を受信する災害動作情報受信部と、前記災害動作情報受信部が受信した災害動作情報を記憶する災害動作情報記憶部と、災害発生または災害の発生予測を通知する災害報知情報を受信する災害報知情報受信部と、前記災害報知情報受信部が前記災害報知情報を受信した際に、前記災害動作情報記憶部が保持している前記災害動作情報に基づいて、前記クライアント機器に動作指示を送信する動作指示文書送信部とを備えることを特徴とする。
【０００９】
この特徴により、クライアント機器である宅内機器がネットワークに接続され、ホームサーバとの通信が可能となった際に、当該宅内機器から、当該宅内機器の動作情報を保持する外部サーバに関する外部サーバ情報が送信されるため、ホームサーバは外部サーバ情報にしたがって、前記外部サーバから宅内機器の災害動作情報を取得することができ、これを自動的にかつ速やかにホームサーバに記憶させることが出来る。
【００１１】
この特徴により、地震などの災害の発生または発生の恐れがあることを示す災害報知情報をホームサーバが受信した際、ホームサーバが送信する到達予知情報を受信することができ、クライアント機器である宅内機器は、受信した災害到達予測情報に基づいて動作を決定し実行することができる。
【００１２】
請求項３の発明は、請求項１あるいは２のいずれかに記載のクライアント機器であって、前記災害動作情報は、災害の大きさを示す災害レベルが付加されており、災害レベルと災害動作内容が対応付けられていることを特徴とする。
【００１３】
この特徴により、災害レベルに応じた動作を宅内機器に実行させることができる。
【００２１】
なお、請求項中の「災害」とは、地震、台風、洪水、津波、噴火、大火災、などによって引き起こされる不時の災いを意味する。
【発明の効果】
【００２２】
上記のように本発明によれば、災害報知情報を受信した際、宅内機器の利用者を煩わせることなく宅内機器に適切な動作を自動で実行させることが可能となる。
【発明を実施するための最良の形態】
【００２３】
以下、本発明の実施の形態につき図面を参照して説明する。
（実施例１）
図1は、本実施例に係るネットワークシステムの構成例を示したものである。
１．ネットワークシステムの構成
本実施例において、ネットワークシステムは、災害予知機関10、災害報知情報送信機関20、ホームサーバ30、ガス給湯器40a、ファンヒータ40b、表示装置40c、電子錠40d、音響装置40e、照明装置40fの宅内機器、外部サーバ50を含む。
【００２４】
災害予知機関10は、災害に関する情報を検知、収集、分析することにより、どのような災害がいつ発生するかを予測もしくは検知し、発表する。
【００２５】
災害報知情報送信機関20は、災害予知機関10が発表した災害情報に基づいて、災害報知情報を生成する。そして、生成した災害報知情報を、予め登録されているホームサーバ30へ送信する。
【００２６】
ホームサーバ30は、ホームネットワークに接続された機器を管理するとともに、外部ネットワークを通じて、災害報知情報送信機関20や外部サーバ50との間で、情報の送受信を行う。またホームサーバ30は、外部サーバ50から取得した災害動作情報に基づいて、宅内機器の災害時の動作を災害時動作リストへ追加する。
【００２７】
ガス給湯器40a、ファンヒータ40b、表示装置40c、電子錠40d、音響装置40e、照明装置40fはホームサーバ30に接続している機器であり、ホームサーバ30によって管理される。
【００２８】
外部サーバ50は、宅内機器の災害時の動作を示す災害動作情報を保持している。
２．ホームサーバ３０の構成
図2は、本実施例に係るホームサーバ30の機能ブロック図である。図示の如く、ホームサーバ30は、災害報知情報受信部301、災害報知情報解析部302、動作内容決定部303、災害動作リスト記憶部304、災害動作情報登録部305、動作指示文書送信部306、クライアント広告メッセージ受信部307、災害動作情報要求送信部308、災害動作情報受信部309を含む。
【００２９】
災害報知情報受信部301は、災害報知情報送信機関20から送信される災害報知情報を受信する。そして、受信した災害報知情報の解析を災害報知情報解析部302に依頼する。
【００３０】
災害報知情報解析部302は、災害報知情報受信部301からの依頼に基づき、災害報知情報受信部301で受信した災害報知情報を解析し、災害到達予測情報を生成する。そして、その災害到達予測情報をもとに、接続している全ての宅内機器について、どのような制御を行うかの決定を動作内容決定部303に依頼する。
【００３１】
動作内容決定部303は、災害報知情報解析部302からの依頼に基づき、接続している全ての宅内機器について、どのような制御を行うかを決定する。災害報知情報解析部302によって生成された災害到達予測情報と、災害動作リスト記憶部304に保持されている災害動作リストに基づいて具体的な動作内容を決定する。具体的な動作内容が決定すると、その動作を指示する動作指示文書を生成し、その送信を動作指示文書送信部306に依頼する。
【００３２】
災害動作リスト記憶部304は、宅内機器40が災害時にどのような動作を行うかを示す災害動作情報のリストである災害動作リストを保持している。災害発生時に動作内容決定部303から参照される。また、宅内機器40が接続する際に災害動作情報登録部305によって登録される。
【００３３】
災害動作情報登録部305は、災害動作情報受信部301が受信した災害動作情報に基づき、災害動作リスト記憶部304が保持している災害動作リストに、災害動作情報を登録する。
【００３４】
動作指示文書送信部306は、動作内容決定部303からの依頼に基づき、予測される災害に対応した動作を宅内機器40に行わせるための動作指示文書を宅内機器40に送信する。
【００３５】
クライアント広告メッセージ受信部307は、新たにホームネットワークに登場した宅内機器40から送信されるクライアント広告メッセージを受信する。クライアント広告メッセージには、宅内機器の災害動作情報を保持した外部サーバ50に関する外部サーバ情報を含む機器情報が含まれており、クライアント広告メッセージ受信部307は、受信したクライアント広告メッセージに含まれている外部サーバ情報に対応する外部サーバ50へ災害動作情報要求の送信することを災害動作情報要求送信部308に依頼する。
【００３６】
災害動作情報要求送信部308は、クライアント広告メッセージ受信部307からの依頼に基づき、宅内機器の災害動作情報を保持している外部サーバ50に対して、災害動作情報要求を送信する。
【００３７】
災害動作情報受信部309は、災害動作情報要求送信部308から送信された災害動作情報要求に応じて外部サーバ50から送信された災害動作情報を受信する。受信した災害動作情報は、災害動作情報登録部305に送られ、災害動作リストに登録される。
３．ガス給湯器４０aの構成
図3は、本実施例1に係るガス給湯器40aの機能ブロック図である。図示の如く、ガス給湯器40aは、制御部401、動作指示文書受信部402、クライアント広告メッセージ生成部403、クライアント広告メッセージ送信部404、起動処理部405、機器情報記憶部406を含む。
【００３８】
制御部401は、動作指示文書受信部402において受信した動作指示文書に基づきガス給湯器40a全体の動作を制御する。
【００３９】
動作指示文書受信部402は、サーバ30から送信される動作指示文書を受信する。受信した動作指示文書の内容に基づき、その動作の実行を制御部401に依頼する。
【００４０】
クライアント広告メッセージ生成部403は、機器情報記憶部406から取得した自身の機器情報に基づいてクライアント広告メッセージを生成する。生成したクライアント広告メッセージは、クライアント広告メッセージ送信部404に送られる。
【００４１】
クライアント広告メッセージ送信部404は、クライアント広告メッセージ生成部403により生成されたクライアント広告メッセージをサーバ30に送信する。
【００４２】
起動処理部405は、ガス給湯器40aが起動した際の各種の処理を行う。起動処理終了後、クライアント広告メッセージの生成をクライアント広告メッセージ生成部403に依頼する。
【００４３】
機器情報記憶部406は、ガス給湯器40aに関する機器情報を保持している。機器情報記憶部406が保持している機器情報はクライアント広告メッセージ生成部403により参照される。
【００４４】
なお、ガス給湯器40a以外の宅内機器であるファンヒータ40b、表示装置40c、電子錠40d、音響装置40e、照明装置40fについても、ガス給湯器40aと同様の上記構造を含み、同様に動作する。
４．外部サーバ５０の構成
図4は、本実施例1に係る外部サーバ50の機能ブロック図である。
【００４５】
図示の如く外部サーバ50は、災害動作情報要求受信部501、災害動作情報取得部502、災害動作情報記憶部503、災害動作情報送信部504を含む。
【００４６】
災害動作情報要求受信部501は、ホームサーバ30から送られる災害動作情報要求を受信する。災害動作情報要求を受信した際には、災害動作情報取得部502に、災害動作情報要求に応じた災害動作情報の取得を依頼する。
【００４７】
災害動作情報取得部502は、災害動作情報要求受信部501の依頼に基づき、災害動作情報要求受信部501が受信した災害動作情報要求に応じた災害動作情報を災害動作情報記憶部503から取得する。取得した災害動作情報は、災害動作情報送信部504に送られる。
【００４８】
災害動作情報記憶部503は、災害動作情報を保持している。災害動作情報は、災害動作情報取得部502により参照される。
【００４９】
災害動作情報送信部504は、災害動作情報取得部502で取得した災害動作情報をホームサーバ30に送信する。
５．データ
次に、本実施例で扱われる情報について図5を用いて説明する。
【００５０】
災害報知情報70Aは、災害予知機関10が発表する災害に関する情報(災害情報)に基づき、災害報知情報送信機関20が生成し、災害報知情報送信機関20に予め登録されているホームサーバ30へ送信される情報である。この災害報知情報は、地震等の災害の種類、災害のレベル(地震の際にはマグニチュード等)、発生時刻、発生場所(緯度・経度)を含む。
【００５１】
災害到達予測情報70Bは、災害報知情報を受信したホームサーバ30が、災害報知情報をもとに、実際に災害が到着する時刻や、到着したときの災害のレベルなどを、予測し生成した情報であり、災害の種類(地震など)とレベル(地震の場合は震度)、到達時刻を含む。
【００５２】
災害動作情報70Cは、各機器が災害時にどのような動作を行うかを示した情報であり、ガス給湯器40a、ファンヒータ40bなどの機器の種類、動作を実施する災害レベル、動作を実施する条件、動作の内容を含む。
【００５３】
機器情報70Dは、宅内のネットワークに接続された機器についてのネットワーク上のアドレスと災害動作情報を保持するサーバに関する識別情報を含む。
【００５４】
続いて、本実施の形態における動作について説明する。
６．ガス給湯器40aがホームネットワークに接続された際の動作の概要
図6は、ガス給湯器40aがネットワークに接続された際の動作を概略的に示したフローチャートであり、適宜、図２、図３、図４の機能ブロックを用いて動作説明を行う。
【００５５】
新たにガス給湯器40aがホームネットワークに接続されると (S601)、ガス給湯器40aの起動処理部405が起動処理を行う(S602)。その後、クライアント広告メッセージ生成部403において、機器情報記憶部406に格納されている外部サーバ情報を含む機器情報に基づいてクライアント広告メッセージを生成し、生成したクライアント広告メッセージをクライアント広告メッセージ送信部404からホームサーバ30へ送信する(S603)。このクライアント広告メッセージは、災害時のガス給湯器40aの動作を示す災害動作情報を保持する外部サーバ50に関する情報である外部サーバ情報を含む機器情報を含む。
【００５６】
ホームサーバ30は、クライアント広告メッセージ受信部307においてクライアント広告メッセージを受信し(S604)、続いてクライアント広告メッセージに含まれる機器情報から外部サーバ50に関する情報を取得し、これに基づいて、災害動作情報要求を災害動作情報要求送信部308から外部サーバ50に送信する(S605)。
【００５７】
外部サーバ50は、災害動作情報要求受信部501で災害動作情報要求を受信する(S606)と災害動作情報送信部504は、災害動作情報記憶部503が保持している災害動作情報をホームサーバ30へ送信する(S607)。
【００５８】
ホームサーバ30は、災害動作情報受信部309で災害動作情報を受信し (S608)、受信した災害動作情報を災害動作リスト記憶部が保持する災害動作リストへ追加する(S609)。
【００５９】
なお、同ホームネットワークに接続しているファンヒータ40b、表示装置40c、電子錠40d、音響装置40e、照明装置40f等の宅内機器がホームネットワークに接続された際の動作も上記と同様である。
７．災害が発生もしくは発生が予測される際の動作の概要
次に、ホームサーバ30が災害報知情報を受信した時の動作について説明する。
【００６０】
図7は、ホームサーバ30が災害報知情報を受信した時の動作を概略的に示したフローチャートである。
【００６１】
災害が発生した際、もしくは災害が発生すると予測される際には、災害予知機関10が災害情報を発表する。この災害情報は例えば、「北緯３０度、東経１４０度付近で、１３時２４分４０秒にマグニチュード６．０の地震が発生した」という情報である。
【００６２】
この情報を受けた災害報知情報送信機関20は、例えば
発生場所：北緯３０度、東経１４０度付近
発生時刻： １３時２４分４０秒
災害種類：地震
レベル： M(マグニチュード)６．０
の災害報知情報を、予め登録しているホームサーバ30に送信する。
【００６３】
ホームサーバ30が災害報知情報を受信した際には (S701)、受信した災害報知情報に基づき災害内容の解析を行い、災害到達予測情報を生成する。(S702)。この災害到達予測情報は、予測される災害の種類、レベル及び到達時刻などを示すものであり、例えば、
到着時刻： １３時２５分１０秒
災害種類：地震
レベル：震度４程度
である。そして、災害動作リスト記憶部304から災害動作リストを取得し(S703)、災害内容に応じた動作内容を決定する(S704)。
【００６４】
ホームサーバ30は、動作内容決定部303において決定した動作内容に応じた動作指示文書を動作指示文書送信部306から宅内機器に送信する(S705)。
【００６５】
例えば、大地震の発生が予測される場合には、ガス給湯器40aやファンヒータ40bには、運転停止を指示し、表示装置40cには、災害の発生を警告するための画面の表示を指示し、電子錠40dには避難路確保のために開錠を指示し、音響装置40eには、音声による警告を指示し、照明装置40fには、避難路の照明の点灯を指示する。
【００６６】
動作指示文書受信部402において動作指示文書を受信した宅内機器であるガス給湯器40aやファンヒータ40b等は(S706)、受信した動作指示文書に基づいた制御を実行する(S707)。
尚、災害発生時には停電が発生する場合があり、それを検知し、停電が発生した際には、充電池を用いてシステムを動作させ、災害時の動作を行わせるようにしてもよい。
【００６７】
以上のように、本実施例に記載の発明によれば、外部サーバによって送信された宅内機器の災害動作情報がホームサーバに記憶される。
【００６８】
さらに、ホームサーバが、地震などの災害の発生または発生のおそれがあることを示す災害報知情報を災害報知情報送信機関から受信した場合、ホームサーバに記憶されている災害動作リストに基づいて、宅内機器に所定の動作を実行させる動作指示文書が自動的に宅内機器に送信される。
【００６９】
このため、宅内機器の利用者を煩わせることなく、災害報知情報を受信した場合に適切な動作を端末に実行させることができ、さらに、火災などの二次災害を防止したり、宅内機器が設置されている住宅などの住居者の避難経路を確保したりすることが可能となる。
【００７０】
また、本実施例に記載の発明によれば、予め動作情報を保持しているのは外部サーバであるため、宅内機器は動作情報を保持する必要がなくなり、どのような種類の宅内機器においても動作情報を設定することが可能となる。また、災害報知情報を受信した場合にどのような動作を実行させるかの判断をサーバが行うため、宅内機器への負担を軽減することが可能となる。
【００７１】
さらに、災害レベルが付加された災害レベルつき動作情報を含む災害動作情報が送受信されるため、災害レベルに応じた動作を宅内機器に実行させることができる。また、動作条件が付加された動作条件つき動作情報を含む災害動作情報が送受信されるため、宅内機器の周囲状態に応じた動作を宅内機器に実行させることが出来る。
【００７２】
さらに、本実施例に記載の発明によれば、宅内機器がネットワークに接続され、ホームサーバとの通信が可能となった際に、当該宅内機器から、当該宅内機器の動作情報を保持する外部サーバに関する外部サーバ情報が送信され、ホームサーバは外部サーバ情報にしたがって、前記外部サーバから宅内機器の動作情報を取得することができる。このため、災害の発生時などに宅内機器が行うべき動作を示す災害動作情報を自動かつ速やかにホームサーバに記憶させることが出来る。
（実施例２）
本実施例では、宅内機器のガス給湯器40aが災害動作情報を保持しており、ホームサーバ30が災害報知情報を受信した際、ホームサーバ30がガス給湯器40aに災害到達予測情報を送信し、ガス給湯器40aは、受信した災害到達予測情報と災害動作情報に基づいて判断した動作を実行する。
【００７３】
なお、本実施例において、実施例1と同様の構造および動作を行うものに関しては同様の名称および番号で説明する。
【００７４】
図8は、本実施例に係るネットワークシステムの構成例を示したものである。
【００７５】
本実施例において、ネットワークシステムは、災害予知機関10、災害報知情報送信機関20、ホームサーバ30、ガス給湯器40a、ファンヒータ40b、表示装置40c、電子錠40d、音響装置40e、照明装置40fの宅内機器が存在する。
【００７６】
本実施例においては、実施例1において外部サーバ50が保持していた災害動作情報を宅内機器の各々が保持するため、本実施例では、実施例1の外部サーバ50を必要としない。
【００７７】
図9は、本実施例におけるホームサーバ30の機能ブロック図である。図示の如く、ホームサーバ30は、災害報知情報受信部301、災害報知情報解析部302、災害到達予測情報送信部311、クライアント広告メッセージ受信部307、機器リスト記憶部312を含み、実施例１に係るホームサーバ30内の動作内容決定部303、災害動作リスト記憶部304、災害動作リスト生成部305、動作指示文書送信部306、災害動作情報要求送信部308、災害動作情報受信部309を含まない。
【００７８】
このうち、災害報知情報受信部301、災害報知情報解析部302、クライアント広告メッセージ受信部307については、実施例1における構造と動作について同様であるため、これらの説明は省略する。以下、実施例1における構造と動作が異なる点につき説明する。
【００７９】
災害到達予測情報送信部311は、災害報知情報解析部302において生成された災害到達予測情報を宅内機器40に送信する。
【００８０】
機器リスト記憶部312は、接続している宅内機器40の管理を行う。具体的には、クライアント広告メッセージ部307において受信したクライアント広告メッセージに含まれる機器情報を保持し、災害到達予測情報送信部311が災害到達予測情報を送信する際、この保持する機器情報を参照する。
【００８１】
図10は、本実施例における宅内機器のガス給湯器40aの機能ブロック図である。図示の如く、ガス給湯器40aは、制御部401、クライアント広告メッセージ生成部403、クライアント広告メッセージ送信部404、起動処理部405、機器情報記憶部406、災害到達予測情報受信部408、制御内容決定部409を含み、実施例1に係るガス給湯器40a内の動作指示文書受信部402を含まない。
【００８２】
このうち、制御部401、クライアント広告メッセージ生成部403、クライアント広告メッセージ送信部404、起動処理部405については、実施例1における構造と動作について同様であるため、これらの説明は省略する。以下、実施例1における構造と動作が異なる点につき説明する。
【００８３】
機器情報記憶部406は、ガス給湯器40aの機器情報を保持し、この機器情報を、クライアント広告メッセージ生成の際にクライアント広告メッセージ生成部403から参照される点は、実施例１と同様であるが、このほか、災害動作情報を保持し、災害到達予測情報を受信した際、制御内容決定部409から参照される。
【００８４】
災害到達予測情報受信部408は、災害が発生、または発生が予測される場合に、ホームサーバから送信される災害到達予測情報を受信する。受信した災害到達予測情報は、制御内容決定部409に送られる。
【００８５】
制御内容決定部409は、災害到達予測情報受信部408が受信した災害到達予測情報に対応した制御内容を、機器情報記憶部406から取得した災害動作情報に基づき決定する。
【００８６】
図11は、本実施例のシステムで扱われる情報の例を示したものである。本実施例においては、実施例１で扱われた情報の災害報知情報70A、災害到達予測情報70Bのほか、機器情報70Eが扱われる。
【００８７】
機器情報70Eは、宅内機器に関する情報であり、宅内機器のアドレスなどを含む。さらに、宅内機器自身が災害動作情報を保持し、この点が、実施例1における機器情報70Dと異なる。
【００８８】
続いて、本実施の形態における動作について説明する。図12は、宅内機器のガス給湯器40aがネットワークに接続された際の動作を概略的に示したフローチャートである。
【００８９】
実施例１の図６のフローチャートで示した動作と比較して、クライアント広告メッセー送信部403が、機器情報記憶部406に格納されている機器情報に基づいてクライアント広告メッセージを生成し、この生成したクライアント広告メッセージをクライアント広告メッセージ送信部404が送信する(S803)動作は同様であるが、このクライアント広告メッセージをホームサーバ30のクライアント広告メッセージ受信部307が受信し(S804)、受信したクライアント広告メッセージに含まれる機器情報を、機器リスト記憶部312に追加する(s805)動作が異なり、最大動作情報の取得処理はない。
【００９０】
次に、災害発生時の動作について説明する。図13は、災害発生時など、ホームサーバ30が災害報知情報を受信した時の動作を概略的に示したフローチャートである。
【００９１】
実施例１の図７のフローチャートで示した動作と比較して、ホームサーバ30が、受信した災害報知情報に基づいて災害到達予測情報を生成し(S902)、これをそのままガス給湯器40aに送信する点が異なる。これにより、ガス給湯器40aは、受信した災害到達予測情報と、自身が機器情報記憶部406に保持する災害動作情報に基づき、受信した災害到達予測情報に対応した制御内容を決定する(S905)ことになる。
【００９２】
上記のとおり、本実施例に記載の発明によれば、地震などの災害の発生または発生の恐れがあることを示す災害報知情報をホームサーバが受信した際、ホームサーバは、災害報知情報に基づいて生成した災害到着予測情報を宅内機器に送信し、宅内機器は、受信した災害到達予測情報に基づいて行うべき動作を決定し、実行することができる。
【００９３】
このため、災害の発生または発生のおそれがある際に、ホームサーバから宅内機器へ送信される文書は、接続している全ての宅内機器を宛先としてブロードキャストで送信される災害到達予測情報のみであり、宅内機器のそれぞれに対して、個別に制御情報を送信する必要がなくなる。
【００９４】
以上のように、本実施の形態の発明によれば、災害報知情報を受信した際、宅内機器の利用者を煩わせることなく宅内機器に適切な動作を自動で実行させることが可能となる。
以上、本発明に係る実施の形態について説明したが、本実施の形態は、あくまでも、本発明の一つの実施形態であって、本発明ないし各構成要件の用語の意義等は、本実施の形態に記載されたものに制限されるものでなく、他に種々の変更が可能であることは言うまでもない。
【図面の簡単な説明】
【００９５】
【図１】実施例１に係るネットワークシステムの構成例を示す図
【図２】実施例１に係るホームサーバの構成を示す図
【図３】実施例１に係るガス給湯器の構成を示す図
【図４】実施例１に係る外部サーバの構成を示す図
【図５】実施例１に係る各種情報を説明する図
【図６】実施例１に係るガス給湯器のネットワーク接続時の動作を示すフローチャート
【図７】実施例１に係るホームサーバの災害報知情報受信時の動作を示すフローチャート
【図８】実施例２に係るネットワークシステムの構成例を示す図
【図９】実施例２に係るホームサーバの構成を示す図
【図１０】実施例２に係るガス給湯器の構成を示す図
【図１１】実施例２に係る各種情報を説明する図
【図１２】実施例２に係るガス給湯器のネットワーク接続時の動作を示すフローチャート
【図１３】実施例２に係るホームサーバの災害報知情報受信時の動作を示すフローチャート
【符号の説明】
【００９６】
１０  災害予知機関
２０  災害報知情報送信機関
３０  ホームサーバ
４０ａ  ガス給湯器
４０ｂ  ファンヒータ
４０ｃ  表示装置
４０ｄ  電子錠
４０ｅ  音響装置
４０ｆ  照明装置
５０  外部サーバ
【図１】
0004721850.tif 000002
【図２】
0004721850.tif 000003
【図３】
0004721850.tif 000004
【図４】
0004721850.tif 000005
【図５】
0004721850.tif 000006
【図６】
0004721850.tif 000007
【図７】
0004721850.tif 000008
【図８】
0004721850.tif 000009
【図９】
0004721850.tif 000010
【図１０】
0004721850.tif 000011
【図１１】
0004721850.tif 000012
【図１２】
0004721850.tif 000013
【図１３】
0004721850.tif 000014